(57)【要約】【課題】  機器類を手動によって移動操作するために機器類に設けられた剛性の把手本体と、把手本体に被せられた樹脂製の把手カバーとからなり、把手本体は、矩形板状の主要部と、主要部の先端から左右に突出した抜け止めフランジ部とを有する把手構造において、使用時に把手カバーが把手本体から抜け落ち難い把手構造を、できるだけ簡単な構成によって提供する。【解決手段】  抜け止めフランジ部８ｂの各側面に、把手カバー１０の抜け移動を阻止する少なくとも２つの突起８ｃが互いに把手カバー１０の被せ方向に沿って離間した形で設けられており、把手本体８に被せられた把手カバー１０の内面が左右の各突起８ｃの先端に弾性的に押付けられるように構成した。【選択図】        図５
2005251906.tif 000002
【特許請求の範囲】
【請求項１】
機器類を手動によって移動操作するために前記機器類に設けられた剛性の把手本体と、前記把手本体に被せられた樹脂製の把手カバーとからなり、前記把手本体は、矩形板状の主要部と、前記主要部の先端から左右に突出した抜け止めフランジ部とを有する把手構造であって、
前記抜け止めフランジ部の各側面に、前記把手カバーの抜け移動を阻止する少なくとも２つの突起が互いに前記把手カバーの被せ方向に沿って離間した形で設けられており、前記把手本体に被せられた前記把手カバーの内面が左右の前記各突起の先端に弾性的に押付けられるように構成されている把手構造。
【請求項２】
前記突起は前記把手カバーの抜け出しを阻止するように傾斜して延びたカエリ状の突起である請求項１に記載の把手構造。
【発明の詳細な説明】
【技術分野】
【０００１】
本発明は、機器類を手動によって移動操作するために前記機器類に設けられた剛性の把手本体と、前記把手本体に被せられた樹脂製の把手カバーとからなり、前記把手本体は、矩形板状の主要部と、前記主要部の先端から左右に突出した抜け止めフランジ部とを有する把手構造に関する。
【背景技術】
【０００２】
この種の把手構造に関連する技術の一例としては、写真処理装置の内部にスライドレールを介して支持された印画紙マガジン用トレイに取り付けられた把手構造が知られている。この把手構造は、図６及び図７に例示するように、金属製のトレイの一部から一体的に延びた薄板状の把手本体１８と、把手本体に被せられた樹脂製の把手カバー１０とからなる。すなわち、硬く且つ比較的鋭い縁部を有する把手本体１８が比較的柔らかい樹脂製の把手カバー１０によって覆われているので、把手本体１８そのものは薄板で出来た非常に簡単で安価に実現できるものであるにも拘わらず、握った時の手触りの良い把手構造が得られ、比較的重量のある印画紙マガジンを取り替えたい時にも、手を痛めることなく印画紙マガジン用トレイを写真処理装置外に引き出すことができる。さらに、用いる把手カバーの色合いを適宜選択すれば、把手構造を機器の周辺部位などから目立たせることができる点でも有利であった。また、樹脂製の把手カバー１０は適当な弾性（引っ張り力に基づいて伸びる性質）を有するので、把手カバーを横向きに伸張させながら把手本体１８に被せるだけで簡単に把手構造を完成させることができて好都合であった。
尚、図７（イ）に示すように、把手本体１８は、矩形板状の主要部１８ａと、主要部１８ａの先端から左右に突出した一対の抜け止めフランジ部１８ｂとを有するので、把手カバー１０の基端部１０ｃにおける左右方向の内法を先端部１０ａに比して狭く形成しておき、把手カバー１０を把手本体１８に被せる際には、この基端部１０ｃを把手本体１８の抜け止めフランジ部１８ｂを乗り越えさせると、図７（ロ）に示すように、把手カバー１０は把手本体１８に保持される。
【発明の開示】
【発明が解決しようとする課題】
【０００３】
しかし、上述した従来構成の把手構造では、把手カバー１０を構成する樹脂の弾性が不十分な場合（樹脂が塩化ビニールの場合など）には、弾性がゴムなど程には十分ではないため、把手カバー１０を把手本体１８に被せることが可能にしておくためには、把手カバー１０の基端部１０ｃをそれほど狭く形成することはできず、そのため、使用時に把手カバー１０に加えられる引っ張り力によって、把手カバー１０の基端部１０ｃが把手本体１８の抜け止めフランジ部１８ｂを前方向きに乗り越えてしまい、把手カバー１０が把手本体１８から抜け落ちる場合があった。
【０００４】
したがって、本発明の目的は、従来構成の把手構造の有する前述した欠点に鑑み、使用時に把手カバーが把手本体から抜け落ち難い把手構造を、できるだけ簡単な構成によって提供することにある。
【課題を解決するための手段】
【０００５】
上記の目的を達成するために、本発明の特徴構成は、
機器類を手動によって移動操作するために前記機器類に設けられた剛性の把手本体と、前記把手本体に被せられた樹脂製の把手カバーとからなり、前記把手本体は、矩形板状の主要部と、前記主要部の先端から左右に突出した抜け止めフランジ部とを有する把手構造であって、
前記抜け止めフランジ部の各側面に、前記把手カバーの抜け移動を阻止する少なくとも２つの突起が互いに前記把手カバーの被せ方向に沿って離間した形で設けられており、前記把手本体に被せられた前記把手カバーの内面が左右の前記各突起の先端に弾性的に押付けられるように構成されている点にある。
このような特徴構成を有するので、本発明による把手構造では、一旦把手カバーを把手本体に被せると、すなわち、把手カバーの基端部を把手本体の抜け止めフランジ部を乗り越えさせて把手本体の主要部の基端側に位置させると、把手カバーの先端部付近の内面が少なくとも２つの突起（左右合計では全部で少なくとも４つのカエリ）に弾性的に押付けられ、把手カバーの内側の四隅が、互いに協働して矩形を形成するように離間した全部で少なくとも４つの突起によって各々支持される形態となるので、使用時に把手カバーに少々の引っ張り力が加えられても、把手カバーは把手本体に対して前後方向でも、左右方向でも、そして、把手本体の面を貫通する軸芯周りでの回動方向でも相対移動を規制されるため、把手カバーの基端部が把手本体の抜け止めフランジ部を前方向きに乗り越えることもなく、把手カバーは把手本体から抜け落ちることがない。
【０００６】
特に、前記突起は前記把手カバーの抜け出しを阻止するように傾斜して延びたカエリ状の突起である構成とすることができる。
このように構成すれば、カエリ状の突起は把手カバーの抜け移動を阻止する方向に延びているので、把手カバーを把手本体に対して押し込む際には抵抗とはならず、そして、一旦把手カバーを把手本体に被せると、把手カバーを抜き取ろうとする動きに際しては、カエリ状の突起が把手カバーの内面に食い込むように作用するため、把手カバーの抜け移動を確実に阻止する。
【０００７】
本発明によるその他の特徴および利点は、以下図面を用いた実施形態の説明により明らかになるであろう。
【発明を実施するための最良の形態】
【０００８】
図１は、デジタルカメラなどによる撮影で得られた画像情報を元に写真プリントを作製する写真プリント装置１の概略構成を示している。写真プリント装置１は、印画紙Ｐに露光処理を施すプリンタ部２と、露光処理済みの印画紙を現像処理するプロセッサ部３とからなる。
プリンタ部２では、２つの印画紙マガジン４に納めた印画紙Ｐのロールのいずれか一方から印画紙Ｐを引き出してシートカッタ２２でプリントサイズに切断し、このように切断された印画紙Ｐに対し、バックプリント部２３で色補正情報やコマ番号などのプリント処理情報を印画紙Ｐの基材側の面に印字し、プリント露光部２４で印画紙Ｐの乳剤面に撮影画像の露光を行い、プロセッサ部３に向けて搬送する。プリンタ部２のプリント露光部２４に設けられたライン露光ヘッドは、副走査方向に搬送される印画紙Ｐに対して、写真プリント装置に隣接配置された操作ステーション（不図示）から提供されるプリントデータに基づいてＲ（赤）、Ｇ（緑）、Ｂ（青）の３原色のレーザ光線の照射を主走査方向に沿って行う。
プロセッサ部３では、この露光後の印画紙Ｐを複数の現像処理槽を有した処理槽ユニット２５に送り込んで現像処理し、乾燥部２６にて乾燥処理を施す。プロセッサ部３の処理槽ユニット２５は、発色現像処理液を貯留する発色現像槽と、漂白定着処理液を貯留する漂白定着槽と、安定処理液を貯留する安定槽を備えている。完成した写真プリントＰは、プロセッサ部３の上部の横送りコンベア２７によってソータ（不図示）の複数のトレイ（不図示）にオーダ単位で仕分けられた状態で集積される。
【０００９】
プリンタ部２には、印画紙マガジン４から引き出された印画紙Ｐを、印画紙Ｐに対する前述した各種処理に合わせた搬送速度で搬送するための印画紙搬送機構２０が敷設されている。印画紙搬送機構２０は、多数の挟持搬送ローラ対、及び、印画紙搬送方向に関してプリント露光部２４の前後に配置された２つのチャッカー式印画紙搬送ユニット２１ａ，２１ｂから構成されている。
【００１０】
図２に例示するように、印画紙マガジン４は、スライドレール５によって写真プリント装置１のキャビネット１ａの手前側外方に引き出し自在に支持されたマガジントレイ６（機器類の一例）の上に載置した状態で用いるように構成されているので、印画紙マガジン４を交換したい場合などには、プリント露光部２４で露光処理を終えた印画紙Ｐが全てプロセッサ部３に送り込まれた後で、プリンタ部２の運転を停止して前面ドア１ｂ，１ｃを開放し、マガジントレイ６をキャビネット１ａから手前側に引き出し、印画紙マガジン４を交換すれば良い。
比較的重量の大きな印画紙マガジン４を支持したマガジントレイ６を手動で引き出す操作を行い易くするために、マガジントレイ６の手前側の端部付近には、作業者が手を掛けるためのハンドル７（把手構造の一例）が設けられている。
【００１１】
図３に示すように、ハンドル７は、マガジントレイ６の手前側の縦壁状のフレーム６ａを構成する板金の一部が水平方向に折り曲げられることによって形成された剛性の把手本体８と、把手本体８に被せられた塩化ビニール（樹脂の一例）製の把手カバー１０とからなる。
図４と図５に示すように、把手本体８は、矩形板状の主要部８ａと、主要部８ａの先端から左右に突出した一対の抜け止めフランジ部８ｂとを有し、抜け止めフランジ部８ｂの各側面には、２つのカエリ８ｃ（カエリ状の突起の一例）が互いに把手本体の軸芯Ｘ方向に沿って離間した形で設けられている。カエリ８ｃは、前記板金の打ち抜き加工時に板金の一部として一体的に形成された鋭い先端を有するものであり、把手カバー１０の作業者から見て遠い方（把手カバー１０の抜け出し方向）への移動を阻止するために、作業者から見て手前側に向かって延びている。
抜け止めフランジ部８ｂの前端における外側の端部には把手本体の軸芯Ｘ方向に対して約４５°の角度で傾斜した面取り部８ｆが、把手カバー１０の案内面として形成されており、先端側のカエリ８ｃ（作業者から離間した側）はこの面取り部８ｆの後端から連続的に延びている。他方の基端側のカエリ８ｃ（作業者に近接した側）は、抜け止めフランジ部８ｂの後端に形成されている。
【００１２】
把手カバー１０は、図４及び図５（イ）に示すように、全体として平坦な袋状を呈しており、把手本体８の主要部８ａの先端側と一対の抜け止めフランジ部８ｂとを包むための幅広の先端部１０ａと、主要部８ａの基端側を包むための比較的幅の狭い基端部１０ｃと、先端部１０ａと基端部１０ｃとを連結する湾曲した連結部１０ｂとからなる。この把手カバー１０を若干傾斜させて、その例えば左端を、連結部１０ｂが左側の抜け止めフランジ部８ｂの後端に引っ掛かるように把手本体８の左側に被せ、次に、把手カバー１０の右端を指で右向きに強く引っ張って伸張させながら、右側の抜け止めフランジ部８ｂを乗り換えさせて把手本体８の右側に被せると、図５（ロ）に示すように、把手カバー１０の全体が把手本体８を包囲した状態に保持される。この時、把手カバー１０の先端部１０ａが把手本体８の主要部８ａの先端側と一対の抜け止めフランジ部８ｂとを包み込み、把手カバー１０の基端部１０ｃが把手本体８の主要部８ａの基端側を包み込んだ状態となっている。しかも、図５（ロ）に示すように、この把手カバー１０が把手本体８に正しく被せられた状態では、把手カバー１０の先端部１０ａの内面が全部で４つのカエリ８ｃに弾性的に押付けられ（カエリ８ｃの鋭い先端が把手カバー１０の内面に進入した状態が得られる）、把手カバー１０の内側の四隅が、互いに協働して矩形を形成するように前後と左右に離間した４つのカエリ８ｃによって各々支持される形態となる。このため、図５（ロ）に示すように、左右の各２つのカエリ８ｃどうしの間の位置では、把手カバー１０の内面は抜け止めフランジ部８ｂとも接することなく、宙に浮いた状態となっている。従って、使用時に把手カバー１０に少々の引っ張り力が加えられても、把手カバー１０は把手本体８に対して前後方向（軸芯Ｘ方向）でも、左右方向でも、そして、把手本体８の面を貫通する軸芯Ｙ周りでの回動方向でも相対移動を規制されるため、把手カバー１０の基端部１０ｃが抜け止めフランジ部８ｂを前方向きに乗り越えることもなく、把手カバー１０は把手本体８から抜け落ちることがない。
【図面の簡単な説明】
【００１３】
【図１】写真プリント装置の構成を示す概略正面図
【図２】マガジントレイが引き出された写真プリント装置を示す概略平面図
【図３】マガジントレイのハンドルの付近を示す斜視図
【図４】本発明によるハンドルの構成を示す斜視図
【図５】本発明によるハンドルの組立て工程を示す平面図
【図６】従来のハンドルの構成を示す斜視図
【図７】従来のハンドルの組立て工程を示す平面図
【符号の説明】
【００１４】
１  写真プリント装置
２  プリンタ部
３  プロセッサ部
４  印画紙マガジン
Ｐ  印画紙
６  マガジントレイ（機器類）
７  ハンドル（把手構造）
８  把手本体
８ａ  主要部
８ｂ  フランジ部
８ｃ  カエリ（突起）
１０  把手カバー
【図１】
2005251906.tif 000003
【図２】
2005251906.tif 000004
【図３】
2005251906.tif 000005
【図４】
2005251906.tif 000006
【図５】
2005251906.tif 000007
【図６】
2005251906.tif 000008
【図７】
2005251906.tif 000009